(57)【要約】【課題】この発明は、簡易な構成で、簡便にして容易な取扱い操作を実現し得、且つ、安定した高効率な熱制御を実現し得るようにすることにある。【解決手段】機器筐体１０に複数の空気取入口１１を、収容する電子回路ユニット１３の放熱フィン１４に対向して設け、この空気取入口１１に対して遮蔽板１５をそれぞれ開閉自在に設けて、電子回路ユニット１３の機器筐体１０への挿脱に連動して遮蔽板１５を移動可能として空気取入口１１を開放、あるいは閉塞するように構成したものである。【選択図】図２
2010192607.tif 000002
【特許請求の範囲】
【請求項１】
複数の電子回路ユニットと、
この複数の電子回路ユニットが挿脱自在に並設されて収容されるものであって、該電子回路ユニットの放熱面がそれぞれ対向される複数の空気取入口及び少なくとも一つの空気排気口が設けられた機器筐体と、
前記複数の空気取入口にそれぞれ開閉自在に設けられ、前記電子回路ユニットの前記機器筐体への挿着に連動して該空気取入口を空気取入可能に開放し、該電子回路ユニットの機器筐体からの抜脱に連動して該空気取入口を閉塞して空気の流入を阻止する複数の遮蔽手段と、
前記複数の空気取入口から外部空気を前記機器筐体内に取り込んで循環させた後、前記空気排気口から外部に排気する排気手段と、
を具備することを特徴とする電子機器。
【請求項２】
前記遮蔽手段は、前記電子回路ユニットの前記機器筐体への挿脱に連動して挿脱方向と直交する方向に移動され、前記機器筐体の空気取入口を開放、あるいは閉塞する遮蔽板と、この遮蔽板を前記空気取入口の閉塞位置に付勢するものであって、前記電子回路ユニットの前記機器筐体への挿入に連動して前記遮蔽板を付勢力に抗して開放位置に移動可能に支持する付勢手段とを備えることを特徴とする請求項１記載の電子機器。
【請求項３】
前記電子回路ユニットには、開放駆動部が設けられ、前記遮蔽板には、被駆動部が前記開放駆動部に対応して設けられ、前記電子回路ユニットの機器筐体への挿入に連動して前記開放駆動部が前記遮蔽板の被駆動部に係合され、前記付勢手段の付勢力に抗して該遮蔽板を開放方向に移動させて前記空気取入口を開放することを特徴とする請求項２記載の電子機器。
【請求項４】
前記複数の電子回路ユニットの放熱面には、放熱フィンが熱的に結合されて設けられ、この放熱フィンが前記機器筐体の空気取入口に対向されることを特徴とする請求項１乃至３のいずれか記載の電子機器。
【請求項５】
前記排気手段は、前記機器筐体の空気排気口に排気ファンを設けることを特徴とする請求項１乃至４のいずれか記載の電子機器。
【発明の詳細な説明】
【技術分野】
【０００１】
この発明は、例えば基地局を構成するテレビ送信機、ＦＭ送信機、中波送信機等を含む電子機器に係り、特にその冷却構造に関する。
【背景技術】
【０００２】
一般に、この種の電子機器においては、電力増幅器等の多数の電子回路ユニットが機器筐体内に着脱自在に収容配置され、その電子回路ユニットで発熱した熱量を、排気ファン等を用いて機器筐体外に強制的に排熱することにより、多数の電子回路ユニットを熱制御して所望の性能特性を得るようにしたいわゆる強制空冷方式が採用されている。
【０００３】
このような電子機器は、機器筐体内に収容配置した多数の電子回路ユニットの一台が、例えば故障して保守点検を行うような場合、その電子回路ユニットを機器筐体から一旦、取出して修理を含む点検を行うと共に、残りの電子回路ユニットを利用して運用を継続する運用方式が採られている。この電子回路ユニットの修理を含む保守点検時、機器筐体内には、取外した電子回路ユニットの収容場所が、空間となり、この空間により、いわゆる空気の回り込み現象が発生して、残りの電子回路ユニットにおける熱を含んだ空気の排気が減少されて排熱効率が低下され、効率的な熱制御が困難となるために、その対策が各種提案されている。
【０００４】
例えば、前面板を取付けたプリント板を着脱する筐体のプリント板収容部に一対の風穴を設け、この一対の風穴に対して穴ふさぎ板を回動式に開閉自在に組付けて、プリント板の着脱に連動して穴ふさぎ板を前面板に設けた駆動用ピンで回動制御して一対の風穴を開閉するようにした冷却構成における風漏れ防止構造が提案されている（例えば、特許文献１参照。）。
【先行技術文献】
【特許文献】
【０００５】
【特許文献１】特開平６−３３４３７３号公報
【発明の概要】
【発明が解決しようとする課題】
【０００６】
しかしながら、上記冷却構成における風漏れ防止構造では、一対の穴ふさぎ板を、プリント板収容部に回動自在に設けると共に、駆動用ピンを該プリント板収容部を閉塞する前面板に設けて、前面板のプリント板収容部への着脱に連動して、その駆動用ピンが一対の穴ふさぎ板を回動させて風穴を開放、あるいは閉塞し、プリント板収容部内への風の出入りを制御する構成のため、構成部品点数が多く、構成が複雑となるうえ、大形となるという問題を有する。
【０００７】
この発明は、上記の事情に鑑みてなされたもので、簡易な構成で、簡便にして容易な取扱い操作を実現し得、且つ、安定した高効率な熱制御を実現し得るようにした電子機器を提供することを目的とする。
【課題を解決するための手段】
【０００８】
この発明は、複数の電子回路ユニットと、この複数の電子回路ユニットが挿脱自在に並設されて収容されるものであって、該電子回路ユニットの放熱面がそれぞれ対向される複数の空気取入口及び少なくとも一つの空気排気口が設けられた機器筐体と、前記複数の空気取入口にそれぞれ開閉自在に設けられ、前記電子回路ユニットの前記機器筐体への挿着に連動して該空気取入口を空気取入可能に開放し、該電子回路ユニットの機器筐体からの抜脱に連動して該空気取入口を閉塞して空気の流入を阻止する複数の遮蔽手段と、前記複数の空気取入口から外部空気を前記機器筐体内に取り込んで循環させた後、前記空気排気口から外部に排気する排気手段とを備えて電子機器を構成した。
【０００９】
上記構成によれば、遮蔽手段は、電子回路ユニットが機器筐体に挿着されると、これに連動して機器筐体の空気取入口を開放して外部空気を取り込み、電子回路ユニットが機器筐体から抜脱されると、これに連動して機器筐体の空気取入口を閉塞して外部空気の流入を阻止することにより、電子回路ユニットを機器筐体から抜脱した跡の空間部への空気の回り込み現象を防止する。従って、簡単な構成を確保したうえで、電子回路ユニットの機器筐体への挿着の有無に影響を受けることが無くなり、外部空気の供給及び排気が効率よく実現することが可能となり、各種のユニット運用形態における高効率な熱制御を行うことが可能となる。
【発明の効果】
【００１０】
以上述べたように、この発明によれば、簡易な構成で、簡便にして容易な取扱い操作を実現し得、且つ、安定した高効率な熱制御を実現し得るようにした電子機器を提供することができる。
【図面の簡単な説明】
【００１１】
【図１】この発明の一実施の形態に係る電子機器の機器筐体を取出して一部外観を破断して示した図である。
【図２】電子回路ユニットを機器筐体に挿着する前の状態を示した図である。
【図３】電子回路ユニットを機器筐体に途中まで挿着した状態を示した図である。
【図４】図１の機器筐体の空気取入口を配した内面側の構成を示した図である。
【図５】図１の機器筐体の空気取入口から遮蔽板を開放した状態を示した図である。
【図６】機器筐体から電子回路ユニットを１台抜脱した状態を示した図である。
【発明を実施するための形態】
【００１２】
以下、この発明の実施の形態について、図面を参照して詳細に説明する。
【００１３】
図１は、この発明の一実施の形態に係る電子機器を示すもので、機器筐体１０には、その一方の壁面に複数、例えば４個の空気取入口１１が所定の間隔に設けられ、その他方の壁面に、図示しない空気排気口が設けられる。そして、この機器筐体１０の空気排気口（図示せず）には、排気手段を構成する排気ファン１２が排気可能に配置される。この排気ファン１２は、その駆動により空気取入口１１から外部空気を取込んで機器筐体１０内を循環させて外部に排気する。
【００１４】
上記空気排気口（図示せず）としては、例えば複数の空気取入口１１に対向して機器筐体１０の壁面に一個を設けるようにしてもよいし、あるいは複数個を設けるようにしてもよい。
【００１５】
また、機器筐体１０には、複数、例えば４台の電子回路ユニット１３が、上記空気取入口１１及び空気排気口（図示せず）を有した壁面で挟まれた壁面側より挿脱されて（図２参照）、空気取入口１１に対応されて所定の間隔に並設されて収容配置される。この電子回路ユニット１３には、その放熱面に放熱フィン１４が熱的に結合されて組付けられ、その底面に開放駆動部１３１が、挿入側が基端側に比して放熱面から離れる方向に傾斜されて設けられている。この電子回路ユニット１３の放熱フィン１４は、電子回路ユニット１３が機器筐体１０内に挿着されると、該機器筐体１０の空気取入口１１に対向された状態で収容配置される。
【００１６】
機器筐体１０の空気取入口１１には、遮蔽手段を構成する遮蔽部材である遮蔽板１５がガイド部１６を介してユニット挿脱方向と直交する矢印Ａ、Ｂ方向に移動自在にそれぞれ設けられる。この遮蔽板１５には、付勢手段としてばね部材１７が閉塞方向（矢印Ｂ方向）にばね力を付与するように係着され、このばね部材１７のばね力により、機器筐体１０の空気取入口１１を閉塞する位置に位置規制される。
【００１７】
また、遮蔽板１５には、その内面側に被駆動部を構成する開放駆動用の係合部１５１が上記電子回路ユニット１３の開放駆動部１３１に対応して設けられる。これにより、遮蔽板１５は、電子回路ユニット１３が機器筐体１０内に挿着されると、その係合部１５１に該電子回路ユニット１３の開放駆動部１３１が係合され（図３参照）、所定の位置に挿着された状態で、該係合部１５１が開放駆動部１３１にばね部材１７の付勢力に抗してガイド部１６に案内されて矢印Ａ方向に移動付勢されて、機器筐体１０の空気取入口１１から離間され、該空気取入口１１を空気取込み可能に開放する。
【００１８】
上記機器筐体１０には、収容した電子回路ユニット１３の放熱フィンの先端側と、隣接される電子回路ユニット１３との間を仕切る図示しない仕切り壁が設けられている。この仕切り壁（図示せず）により、機器筐体１０に並設されて収容された電子回路ユニット１３は、上記その放熱フィン１４に対して機器筐体１０の各空気取入口１１から取込まれた外部空気を安定して導くことが可能となる。なお、上記仕切り壁（図示せず）としては、電子回路ユニット１３の放熱フィン１４の先端側に直接的に取付け配置するようにしてもよい。
【００１９】
上記構成において、機器筐体１０は、電子回路ユニット１３が収容されていない状態では、その空気取入口１１が遮蔽板１５により閉塞され、その空気取入口１１からの外部空気の侵入が阻止されている（図４参照）。この遮蔽板１５は、電子回路ユニット１３が機器筐体１０内に挿入されると、その係合部１５１に対して該電子回路ユニット１３の開放駆動部１３１が係合され、その挿入に伴って係合部１５１が開放駆動部１３１によりばね部材１７の付勢力に抗してガイド部１６に案内されて矢印Ａ方向に移動付勢される（図３参照）。
【００２０】
そして、この遮蔽板１５は、電子回路ユニット１３が機器筐体１０の所定の位置に挿着されて、その収容配置が完了されると、該機器筐体１０の空気取入口１１から離間されて、該空気取入口１１を外部空気取入可能に開放する（図５参照）。ここで、機器筐体１０の空気取入口１１には、機器筐体１０内に収容された電子回路ユニット１３の放熱フィン１４が対向される。
【００２１】
このようにして、電子回路ユニット１３は、所定の台数が機器筐体１０内に並設されて収容配置され、その各放熱フィン１４が機器筐体１０の遮蔽板１５が開放されている空気取入口１１に対向された状態で運用に供され、その駆動に伴い発熱されると、その熱が放熱面から放熱フィン１４にそれぞれ熱移送される。
【００２２】
ここで、排気ファン１２が駆動され、機器筐体１０の空気取入口１１から外部空気が取込まれて、電子回路ユニット１３の放熱フィン１４に直接的に導かれる。これにより、電子回路ユニット１３は、その放熱フィン１４に熱移送された熱が外部空気により機器筐体１０内に効率よく放熱され、その熱が上記空気排気口（図示せず）から外部に排熱されることで、所望の温度に熱制御される。
【００２３】
また、上記運用状態において、例えば電子回路ユニット１３が故障したりして、機器筐体１０から抜脱されると、その空気取入口１１を開放していた遮蔽板１５の係合部１５１が、電子回路ユニット１３の開放係合部１３１による規制から開放される。これにより、遮蔽板１５は、ばね部材１７の付勢力により、機器筐体１０のガイド部１６に案内されて矢印Ｂ方向に移動され、該空気取入口１１を閉塞する（図６参照。但し、図中では、図の都合上、空気取入口及び放熱フィンを図示せず）。そして、この１台の電子回路ユニット１３を機器筐体１０から離脱させて欠いた状態において、残りの電子回路ユニット１３で運用に供される。
【００２４】
そして、排気ファン１２が駆動されると、上記遮蔽板１５で閉塞された機器筐体１０の空気取入口１１を除いた開放されている空気取入口１１には、外部空気が取込まれ、各放熱フィン１４に導かれる。これにより、機器筐体１０に収容配置された電子回路ユニット１３は、その放熱フィン１４に熱移送された熱がそれぞれの空気取入口１１から取込まれた外部空気で奪われて機器筐体１０の上記空気排気口（図示せず）から外部に排熱され、所望の温度に熱制御されて運用が行われる。
【００２５】
この際、機器筐体１０内には、電子回路ユニット１３が抜脱された場所に対応する空気取入口１１が、遮蔽板１５により閉塞されて外部空気の侵入が防止されていることで、抜脱した跡の空間部へのいわゆる空気の回り込み現象が起きないために、ユニット数が少ない運用形態においても、収容されている電子回路ユニット１３の安定した熱制御が実現される。
【００２６】
このように、上記電子機器は、機器筐体１０に複数の空気取入口１１を、収容する電子回路ユニット１３の放熱フィン１４に対向して設け、この空気取入口１１に対して遮蔽板１５をそれぞれ開閉自在に設けて、電子回路ユニット１３の機器筐体１０への挿脱に連動して遮蔽板１５を移動可能として空気取入口１１を開放、あるいは閉塞するように構成した。
【００２７】
これによれば、電子回路ユニット１３が機器筐体１０に挿着されると、遮蔽板１５が移動され、空気取入口１１が開放されて外部空気が取込まれ、電子回路ユニット１３が収容されない未収容状態で、遮蔽板１５が空気取入口１１を閉塞して、その空気取入口１１からの外部空気の侵入が阻止される。
【００２８】
これにより、機器筐体１０には、電子回路ユニット１３の抜脱された跡の空間部への、いわゆる外部空気の回り込み現象が防止されて、開放された空気取入口１１から取込まれた外部空気が、収容されている電子回路ユニット１３の放熱フィン１４に効率良く供給することが可能となる。この結果、機器筐体１０の簡単な構成を確保したうえで、電子回路ユニット１３の機器筐体１０への挿着の有無に影響を受けることが無くなり、外部空気の供給及び排気を効率よく行うことが可能となり、各種のユニット運用形態における効率的な熱制御が実現される。
【００２９】
なお、上記実施の形態では、機器筐体１０の空気取入口１１を開放あるいは閉塞する遮蔽板１５を開放する手段として、電子回路ユニット１３の底面に挿入側が基端側に比して放熱面から離れる方向に傾斜した開放駆動部１３１を設けて、遮蔽板１５に開放駆動部１３１と平行に傾斜された係合部１５１を設けて、電子回路ユニット１３が機器筐体１０に挿着されると、その開放駆動部１３１が遮蔽板１５の係合部１５１に係合されてばね部材１７のばね力に抗して遮蔽板を移動付勢し、空気取入口を開放するように構成した場合について説明したが、この構成に限ることなく、各種の構成が可能である。
【００３０】
また、上記実施の形態では、電子回路ユニット１３の放熱面に放熱フィン１４を熱的に結合させて組付け配置するように構成した場合について説明したが、これに限ることなく、その他、例えば放熱フィン１４を電子回路ユニット１３に組付け配置しないユニット構成においても適用可能で同様に有効な効果が期待される。この場合には、電子回路ユニット１３の挿着状態で、該電子回路ユニット１３の放熱面が機器筐体１０の空気取入口１１に対向配置するように構成される。
【００３１】
さらに、上記実施の形態では、排気手段として、機器筐体１０の外部側に排気ファン１２を配して機器筐体１０内の空気を外部に排気するように構成した場合について説明したが、これに限ることなく、例えば排気ファン１２を機器筐体１０内に配置するように構成することも可能である。
【００３２】
この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【符号の説明】
【００３４】
１０…機器筐体、１１…空気取入口、１２…排気ファン、１３…電子回路ユニット、１３１…開放駆動部、１４…放熱フィン、１５…遮蔽板、１５１…係合部、１６…ガイド部、１７…ばね部材。
【図１】
2010192607.tif 000003
【図２】
2010192607.tif 000004
【図３】
2010192607.tif 000005
【図４】
2010192607.tif 000006
【図５】
2010192607.tif 000007
【図６】
2010192607.tif 000008